(57)【特許請求の範囲】
【請求項１】
ラベリアタイプの小形マイクロホンを衣服の胸元などの被取付部に取り付けるためのマイクロホンホルダーにおいて、
板状に形成されたホルダーベースと、上記マイクロホンを支持する支持部と、ねじりバネからなる基部の一端から引き出され上記被取付部に刺し入れ可能なピンおよび上記基部の他端から上記ピンに対してほぼＶ字状を呈するように引き出されたレバーを有するフックピンとを含み、
上記支持部は、上記ホルダーベースの一方の面に沿ってスライド可能に上記ホルダーベースに支持され、
上記フックピンは、上記レバーが上記ホルダーベースの一方の面に配置され、上記ピンが上記ホルダーベースの他方の面に配置されるように上記基部が上記ホルダーベースに回動自在に支持され、
上記支持部には、そのスライドに伴って上記レバーを起伏させる上下昇降手段が設けられていることを特徴とするマイクロホンホルダー。
【請求項２】
上記上下昇降手段は、上記支持部のスライド方向に沿って傾斜した傾斜面を有する傾斜凸部からなり、上記傾斜凸部が上記レバーに沿って移動することにより、上記ピンが上記ホルダーベースの他方の面から出没する請求項１に記載のマイクロホンホルダー。
【請求項３】
上記ホルダーベースと上記支持部とのスライド面には、上記フックピンを突出状態もしくは没入状態で保持するためのロック手段が設けられている請求項１または２に記載のマイクロホンホルダー。
【請求項４】
上記ロック手段は、上記ホルダーベースと上記支持部とのスライド摺動面に設けられた凹凸面からなる請求項３に記載のマイクロホンホルダー。
【請求項５】
上記ホルダーベースの上記他方の面には、没入状態における上記ピンを収納するための凹壁面または凸壁面からなる収納部が設けられている請求項１ないし４のいずれか１項に記載のマイクロホンホルダー。
【発明の詳細な説明】
【０００１】
【発明の属する技術分野】
本発明は、小形のマイクロホンを衣服の胸元などに取り付けて使用するために用いられるマイクロホンホルダーに関し、さらに詳しく言えば、牙状に設けられたフックピンを被取付部に刺し入れて被取付部に保持するタイプのマイクロホンホルダーに関する。
【０００２】
【従来の技術】
会議や講演などでよく用いられるマイクロホンの１つにラベリアマイク（別名：ピンマイク）がある。このマイクロホンは、衣服の胸元や襟元などに取り付けて使用される小形マイクロホンの一種であり、話者がハンズフリーで使用できるというメリットがある。
【０００３】
このマイクロホンは、専用のマイクロホンホルダーを使って衣服の胸元や襟元などの被取付部に装着される。そのマイクロホンホルダーの一例を図６に示す。このマイクロホンホルダー１は、扁平な板状片からなるホルダーベース２と、同ホルダーベース２の一方の面（図６では上面側）に設けられた支持部３と、ホルダーベース２の他方の面（図６では下面側）に設けられたフックピン４とから構成されている。
【０００４】
支持部３は、中央に断面Ｃ字状の嵌合溝３０が設けられており、この嵌合溝３０に図示しないマイクロホンが嵌合される。フックピン４は、一端側がホルダーベース２に一体に取り付けられ、他端側が牙状に突設された２本の平行な線材からなり、先端側が被取付部に刺し込みやすいように針状に尖らされている。このマイクロホンホルダー１は、フックピン４が牙状に見えることから、一般にドラキュラクリップと称されている。
【０００５】
これによれば、話者は、マイクロホンを支持した状態のホルダーベース２を手に取り、衣服の襟元や胸元にフックピン４を刺し込むことで、簡単にマイクロホンを装着することができる。
【０００６】
【発明が解決しようとする課題】
しかしながら、この種のマイクロホンホルダー１は装着および取り外しが簡単にできる反面、常にフックピン４がホルダーベース２から突出しているため、装着時などに指や身体などに突き刺さるおそれがあり、この点が最大の解決課題となっていた。
【０００７】
そこで、本発明は上述した問題を解決するためになされたものであって、その目的は、装着時における安全性と装着保持力とをさらに向上させたマイクロホンホルダーを提供することにある。
【０００８】
【課題を解決するための手段】
上述した目的を達成するため、本発明は、ラベリアタイプの小形マイクロホンを衣服の胸元などの被取付部に取り付けるためのマイクロホンホルダーにおいて、板状に形成されたホルダーベースと、上記マイクロホンを支持する支持部と、ねじりバネからなる基部の一端から引き出され上記被取付部に刺し入れ可能なピンおよび上記基部の他端から上記ピンに対してほぼＶ字状を呈するように引き出されたレバーを有するフックピンとを含み、上記支持部は、上記ホルダーベースの一方の面に沿ってスライド可能に上記ホルダーベースに支持され、上記フックピンは、上記レバーが上記ホルダーベースの一方の面に配置され、上記ピンが上記ホルダーベースの他方の面に配置されるように上記基部が上記ホルダーベースに回動自在に支持され、上記支持部には、そのスライドに伴って上記レバーを起伏させる上下昇降手段が設けられていることを特徴としている。
【０００９】
これによれば、未使用時には支持部を没入方向にスライドすれば、フックピンをホルダーベースに沿って収納しておくことができ、使用時には支持部を突出方向にスライドさせれば、フックピンを突出させることができる。
【００１０】
また、上記フックピンの基部がバネヒンジからなるねじりバネで、レバーとピンとが連結された基部によってバネ付勢されているため、使用するにしたがい多少のガタや緩みが生じても、バネ弾性によってその緩みを許容できる。
【００１１】
上記昇降手段は、上記支持部のスライド方向に沿って傾斜した傾斜面を有する傾斜凸部からなることが好ましい。これによれば、上記レバーの先端が上記傾斜凸部に沿って移動することにより、上記ピンを上記ホルダーベースの他方の面から出没可能にできる。
【００１２】
フックピンを突出状態と没入状態とで保持しておくため、上記ホルダーベースと上記支持部とのスライド面には、上記フックピンを突出状態もしくは没入状態で保持するためのロック手段が設けられている。より具体的な態様として、上記ロック手段は、上記ホルダーベースと上記支持部とのスライド摺動面に設けられた凹凸面からなることが好ましい。
【００１３】
上記ホルダーベースの上記他方の面には、没入状態における上記フックピンを収納するための凹壁面または凸壁面からなる収納部が設けられていることにより、未使用時のフックピンを収納部内に隠しておくことができ、身体などへの傷付きを防止できる。
【００１４】
【発明の実施の形態】
次に、本発明の実施形態について図面を参照しながら説明する。図１は、本発明のマイクロホンホルダーを組み立てた状態の平面図（図１（ａ））と側面図（図１（ｂ））が示されており、図２は、図１のＡ−Ａ線断面図である。なお、先に説明した図６の従来例と同一もしくは同一と見なされる構成要素には、同じ参照符号が用いられている。
【００１５】
このマイクロホンホルダー１０は、各部材を一体的に組み立てる基台となるホルダーベース２と、同ホルダーベース２に沿ってスライド可能に取り付けられ、図示しないマイクロホンを着脱自在に支持する支持部３と、ホルダーベース２に一体的に取り付けられ、衣服の胸元などの被装着部に向けて刺し入れられるフックピン４とから構成されている。
【００１６】
図２および図３に示すように、ホルダーベース２は、合成樹脂製の扁平な板状片からなり、その幅方向の側面（図３（ｂ）では上下方向の側面）には、支持部３をスライド可能に支持するためのスライド溝２１、２１が設けられている。
【００１７】
このスライド溝２１，２１には、凹曲面２１１，２１１が各２カ所ずつ、左右併せて計４カ所設けられている。この凹曲面２１１，２１１は、後述する支持部３の凸曲面３１２，３１２と凹凸嵌合することにより、支持部３を所定位置でロックするためのロック手段を構成する一方のメンバーである。
【００１８】
ホルダーベース２の両側端部には、後述するフックピン４の基部４２が回転可能に軸支される円筒状の軸受部２２，２２が設けられている。また、図２に示すように、ホルダーベース２の底面には、後述するフックピン４のピン４１を収納するための収納部２３が設けられている。
【００１９】
この実施形態において、収納部２３はホルダーベース２の底面に沿って凹まされた凹壁面からなり、その中にピン４１を没入させるようにしているが、例えばピン４１の高さよりも高いリブを突設したものであってもよい。すなわち、フックピン４をホルダーベース２の底面に沿って平行に配置したときに、それを隠すに足りるものであれば、その形態は任意に変更可能である。
【００２０】
支持部３は、ホルダーベース２に対してスライド可能に取り付けられるスライダー３１と、実質的にマイクロホン（図示しない）を支持するホルダー部３２とから構成されている。
【００２１】
図２および図４に示すように、スライダー３１は開放端側が下向きに開放されたほぼ断面コ字状を有し、その両端部には、内側に向けてほぼ直角に折り曲げられたスライドリブ３１１，３１１が設けられている。このスライドリブ３１１，３１１が、上述したホルダーベース２のスライド溝２１，２１に沿って収納されることにより、スライダー３１がホルダーベース２に沿ってスライド移動する。
【００２２】
スライドリブ３１１，３１１の先端には、凸曲面３１２，３１２が設けられている。この凸曲面３１２，３１２は、支持部３を所定位置でロックするためのロック手段を構成する他方のメンバーであり、スライド溝２１，２１の凹曲面２１１，２１１に凹凸嵌合することで、支持部３を所定位置でホールドしておくことができる。
【００２３】
スライダー３１のホルダーベース２の対向面には、フックピン４のレバー４３を上下に昇降させるための昇降手段である傾斜凸部３１３，３１３が左右一対となって設けられている。
【００２４】
図５に示すように、この傾斜凸部３１３，３１３は、支持部３のスライド方向に沿って傾斜された傾斜面を有し、この傾斜面に沿ってフックピン４のレバー４３が上下に昇降することにより、ピン４１が出没する。
【００２５】
図２に示すように、ホルダー部３２は、例えば発泡ゴムなどの柔軟な材料からなり、図示しないマイクロホンを支持するほぼ断面Ｃ字状のクリップ部３２１、２１が、この実施形態では左右一対に２カ所設けられている。このホルダー部３２は、ネジ３３を介してスライダー３１のネジ穴３１４にネジ止めされることにより、一体的に形成されている。
【００２６】
この実施形態において、ホルダー部３２は発泡ゴムの一部を切り欠いてクリップ部３２１を設けているが、少なくともマイクロホンを保持できる構造ならば、これ以外にいわゆる鰐口クリップのようなものや線材を巻回した中に差し込んで用いるものなどであってもよく、本発明においてホルダー部３２はあくまで任意的な構成要素であり、その態様は適宜選択される。
【００２７】
フックピン４は、金属製の線材を折り曲げないしは湾曲させて基部４２を介して双方のバネ腕がほぼＶ字状に折り返されたねじりバネからなり、この実施形態においては、ねじり部を２つ有するいわゆるダブルトーション型のねじりバネを用いている。
【００２８】
このフックピン４は、両方の基部４２，４２が、ホルダーベース２の軸受部２２，２２に回転可能に取り付けられており、各バネ腕（ピン４１とレバー４３）がホルダーベース２を両側から挟み込むように取り付けられている。
【００２９】
この実施形態では、一方のバネ腕をホルダーベース２の下面（図１（ｂ）参照）に沿って配置され、先端が刺し込みやすいように尖らされたピン４１とし、他方のバネ腕を、ホルダーベースの上面に沿って配置され、スライダー３１の移動に伴い、上下に昇降されるレバー４３とする。
【００３０】
また、この実施形態においてフックピン４は、ダブルトーション型のねじりバネを採用しているが、これ以外にシングルトーション型のねじりバネを２つ用意し、それをホルダーベース２に組み込んでもよい。このような変形例も本発明に含まれる。
【００３１】
次に、図５を参照して、このマイクロホンホルダー１０の使用方法について説明する。なお、図５（ａ）は、マイクロホンホルダー１０を使用可能にした状態、すなわちフックピン４を突出させた状態であり、図５（ｂ）は、マイクロホンホルダー１０を使用しないときの状態、すなわちフックピン４を没入（収納）させた状態である。
【００３２】
図５（ａ）に示すように、まず、このマイクロホンホルダー１０を使用する当たっては、支持部３を左側にスライドさせる。これにより、フックピン４のレバー４３は基部４２を介してフリー回転可能な状態となり、対向する差入部４１が収納部２３から突出する。
【００３３】
このとき、支持部３は、スライダー３１とスライド溝２１とに設けられたロック手段によってロックされており、その位置がホールドされた状態になっている。この状態のまま、次にフックピン４のピン４１を図示しない衣服の襟元や胸元に刺し込むことで、マイクロホンホルダー１０が被取付部に保持される。
【００３４】
なお、ピン４１を被取付部に刺し込んだ後、支持部３を強制的に右方向にスライドさせると、ピン４１が収納部２３方向に引き寄せられ、ピン４１とホルダーベース２との間に狭持力が発生し、より強固にマイクロホンホルダー１０を被取付部に取り付けることができる。
【００３５】
このマイクロホンホルダー１０を使用しないときには、図５（ｂ）に示すように、支持部３を右側にスライドさせればよい。すなわち、支持部３を左側から右側に移動させることで、傾斜凸部３１３の傾斜面に沿ってフックピン４のレバー４３が持ち上げられ、これに伴い、基部４２を介して反対のピン４１がホルダーベース２側に持ち上げられる。これにより、収納部２３内にピン４１が没入し、収納される。
【００３６】
これによれば、ピン４１がホルダーベース２から突出していないので、装着時や取り外し時などに手で持ったりしても、傷付いたりせず、安全に取り回すことができる。
【００３７】
この実施形態において、Ｖ字状に形成されたフックピン４の一方のバネ腕（レバー４３）を上下に移動させることで、他方のバネ腕（ピン４１）を出没させるようにしているが、これ以外に支持部３をスライドさせてフックピン４を出没させる機構があれば、適宜使用可能である。このような各種変形例も本発明に含まれる。
【００３８】
【発明の効果】
以上説明したように、本発明によれば、マイクロホンを支持する支持部をホルダーベースに沿ってスライド可能に配置し、同スライド部をスライドさせてフックピンを出没させるようにしたことにより、手や体にフックピンが刺さって傷付くおそれがなく、より安全に装着ができる。
【００３９】
また、装着保持力がより向上することにより、身体動作によるマイクロホンホルダーの脱落防止を兼ね備えている。
【図面の簡単な説明】
【図１】本発明の一実施形態に係るマイクロホンホルダーの平面図および側面図
【図２】上記実施形態のマイクロホンホルダーのＡ−Ａ線断面図。
【図３】上記実施形態のホルダーベースの側面図およびＢ−Ｂ線断面図。
【図４】上記実施形態のスライダーの正面図。
【図５】上記実施形態のマイクロホンホルダーの使用方法を説明する説明図。
【図６】従来のマイクロホンホルダーの正面図および側面図
【符号の説明】
１，１０  マイクロホンホルダー
２  ホルダーベース
２１  ガイド溝
２１１，２１２  凹曲面
２２  軸受部
２３  収納部
３  支持部
３１  スライダー
３１１  スライドリブ
３１２  凸曲面
３１３  傾斜凸部
３２  ホルダー部
４  フックピン
４１  ピン
４２  基部
４３  レバー
【図１】
0003905377.tif 000002
【図２】
0003905377.tif 000003
【図３】
0003905377.tif 000004
【図４】
0003905377.tif 000005
【図５】
0003905377.tif 000006
【図６】
0003905377.tif 000007